(57)【特許請求の範囲】
【請求項１】
各一般家庭及び事業所にて完熟堆肥の半製品である半熟堆肥を生ごみから製造し、上記製造された半製品を完熟堆肥製造会社にて完熟堆肥に仕上げる完熟堆肥製造方法において、山間地で廃棄物となった木材チップを生ごみに混ぜて上記各一般家庭及び事業所のそれぞれが堆肥製造装置内で上記半熟堆肥を製造すると共に製造した半熟堆肥をそれぞれにおいてビニール袋に入れて所定の期間保管しておき、上記完熟堆肥製造会社は交換する上記木材チップを持って上記半熟堆肥の回収に出向き、該完熟堆肥製造会社は上記山間地にて上記回収した半熟堆肥に所定量の上記木材チップを更に混合し適温を与えながら熟成させて完熟堆肥を製造することを特徴とする完熟堆肥製造方法。
【請求項２】
半熟堆肥を生ごみから製造する上記一般家庭と、上記半熟堆肥から完熟堆肥を生成する上記完熟堆肥製造会社と、上記生成された完熟堆肥を使用する園芸農家とをインターネットを介して接続し、上記インターネットを介して情報の授受を行いながら上記半熟堆肥及び上記完熟堆肥の流通を図るようにしたことを特徴とする請求項１に記載の完熟堆肥製造方法。
【発明の詳細な説明】
【０００１】
【発明の属する技術分野】
本発明は完熟堆肥製造方法に関する。
【０００２】
【従来の技術】
家庭、事業所から発生する生ごみの堆肥化が問題になっている。特に、最近は食品リサイクル法も施行された。都市部において、生ごみを回収して堆肥化を図る場合に、従来の生ごみ処理機は発酵時間の短縮を行うために、半熟状態のままで堆肥化を完了させてしまうようにしていた。
【０００３】
近年、スーパーやコンビニ等で堆肥化装置が使われだしてから、リサイクルシステムの構築と言う大問題から、半熟状態の堆肥が大量に農家に供給され始めた。これは、当初はうまく行くかに見えたシステムであった。しかし、製造した半熟堆肥を農家で大量に使用した結果、作物の収獲が上がらないと言う、当初は考えも及ばない現実が発生した。
【０００４】
そこで、作物の収獲が上がらない原因をあらゆる角度から調査した結果、半熟堆肥に含まれる油分が原因であることがわかった。上記油分は、堆肥を作る上では木くずや、籾殻や、稲藁等の媒体が不足している場合に十分に分解できずに堆肥内に残留するものである。
本実施の形態は上述の問題点にかんがみ、半熟堆肥から成熟堆肥を効率良く製造できるようにすることを目的とする。
【０００５】
【課題を解決するための手段】
本発明の完熟堆肥製造方法は、各一般家庭及び事業所にて完熟堆肥の半製品である半熟堆肥を生ごみから製造し、上記製造された半製品を完熟堆肥製造会社にて完熟堆肥に仕上げる完熟堆肥製造方法において、山間地で廃棄物となった木材チップを生ごみに混ぜて上記各一般家庭及び事業所のそれぞれが堆肥製造装置内で上記半熟堆肥を製造すると共に製造した半熟堆肥をそれぞれにおいてビニール袋に入れて所定の期間保管しておき、上記完熟堆肥製造会社は交換する上記木材チップを持って上記半熟堆肥の回収に出向き、該完熟堆肥製造会社は上記山間地にて上記回収した半熟堆肥に所定量の上記木材チップを更に混合し適温を与えながら熟成させて完熟堆肥を製造することを特徴とする。
また、本発明の完熟堆肥製造方法は、半熟堆肥を生ごみから製造する上記一般家庭と、上記半熟堆肥から完熟堆肥を生成する上記完熟堆肥製造会社と、上記生成された完熟堆肥を使用する園芸農家とをインターネットを介して接続し、上記インターネットを介して情報の授受を行いながら上記半熟堆肥及び上記完熟堆肥の流通を図るようにしたことを特徴とする。
【０００６】
【発明の実施の形態】
次に、添付図面を参照しながら本実施の形態の完熟堆肥製造方法の実施の形態について説明する。
本実施の形態の完熟堆肥製造方法は、堆肥製造機は各家庭及び事業所が購入する。ここで、各家庭及び事業所で作った堆肥は全て半熟堆肥と考える。
【０００７】
各家庭及び事業所において製造した半熟堆肥は、それぞれにおいてビニール袋に入れ、例えば、月に２回程度の割で回収を行う。この場合、半熟堆肥の状態でも使用したい人は自由に使用し、余った半熟堆肥だけを回収するようにする。半熟堆肥の回収は、自治体が行っても良いし、堆肥製造会社が行っても良い。
【０００８】
図１に示すように、回収自動車１１により集められた半熟堆肥１２は、搬送コンベア１３，１４を介して完熟堆肥製造サイロ１５に投入される。上記完熟堆肥製造サイロ１５には、搬送自動車１６で搬送された木材チップ１７が搬送コンベア１８、１４を介して投入される。
【０００９】
図２に示すように、完熟堆肥製造サイロ１５には混合装置１９が配設されており、完熟堆肥製造サイロ１５内に投入された半熟堆肥１２は、完熟堆肥製造サイロ１５内において所定の量の木材チップ１７と混ぜられる。
【００１０】
完熟堆肥製造サイロ１５には、内部に収容された堆肥原料を混合する混合装置１９が設けられている。上記混合装置１９は、複数のかき混ぜ片が配設された周回方式のかき混ぜ機２１と、上記かき混ぜ機２１を移動させる台車２２およびモータ２３を有している。
【００１１】
混合装置１９の移動方法は、例えば、完熟堆肥製造サイロ１５が矩形横断面の場合は往復動（往路と復路が同じ経路、異なる経路の両方を含む）が好適であり、円形横断面の場合には、横断面方向に回動させる方法が好適である。
【００１２】
移動される混合装置１９には、完熟堆肥製造サイロ１５内の堆肥原料の含水率を上方から非接触にて測定する赤外線式水分計２４が設けられている。この赤外線式水分計２４は、完熟堆肥製造サイロ１５内の、木材チップ１７の供給や水分調整によって含水率が調整された後の堆肥原料の含水率を検出できる。
【００１３】
そして、本実施態様においては、赤外線式水分計２４によって検出された木材チップ１７の含水率、完熟堆肥製造サイロ１５内における混合堆肥原料の含水率の各検出信号が入力される。これにより、半熟堆肥１２は適温を与えられながら完熟堆肥製造サイロ１５内を自動的に対流させられ、約３０日間をかけて完熟堆肥２０に仕上げられる。
【００１４】
図３に、一般家庭で用いられる堆肥製造装置３０の一例を示す。この堆肥製造装置３０は、３１は醗酵槽、３２は回転軸、３３は駆動装置、３４換気装置である。
【００１５】
先ず、醗酵槽３０は、横置円筒状の胴部の両端部を鏡板で閉鎖したものであり、上面には生ごみ取入部３５が設けられる。また、醗酵槽３０内には回転軸３２が軸支持部により回転自在に支持される。回転軸３２の、醗酵槽３０内の両鏡板に近接した位置には、それぞれ送り羽根３６が設けられる。この送り羽根３６は、醗酵槽３０の内容物を胴部の両端から中央にかき集め得るようそれぞれ右ねじ方向及び左ねじ方向にねじられ、回転軸３２を中心として回転対称に対をなして設けられる。
【００１６】
また、回転軸３２の、二組の送り羽根３６の取付け位置の設けられた中間の位置には、４本の攪拌羽根３７が設けられる。この攪拌羽根３７は、醗酵槽３０の内容物を攪拌しつつ中央から両端へ押し戻し得るよう交互に右ねじ方向及び左ねじ方向にねじられている。
【００１７】
醗酵槽３０の下方には、回転軸３２と平行に伸びる駆動軸３０を有する駆動装置３３が設置され、回転軸３２に設けられたプーリ下方の駆動軸の先端には駆動プーリが設けられ、これらのプーリと駆動プーリにはベルトが巻き掛けられる。
【００１８】
本実施の形態の堆肥製造装置は上記の如く構成されるので、換気を行いながら保温ジャケット内の温水で醗酵槽３０内を醗酵に適した温度に保ち、生ごみ取入部３５から醗酵槽３０内に生ごみを投入し、回転軸３２を回転させることにより、送り羽根３６がその生ごみを中央に送り、攪拌羽根３７がその生ごみ及び木材チップ１７をその掻爪部で掬い上げ、落下させつつ両端に送り返すという作業を繰り返すので、その結果、好気性醗酵菌が醗酵槽３０内で増殖し、生ごみを効率良く分解するので、生ごみは短時間のうちに半熟堆肥１２なる。
【００１９】
本実施の形態においては、以上のような完熟堆肥製造方法を、後述するインターネット５１と遠隔操作装置を利用して運転する。
すなわち、図４に示すように、インターネット５１を利用して完熟堆肥製造方法の利用態様が構築されている。
【００２０】
実施の形態の完熟堆肥方法の利用に際しては、登録している一般家庭５０では、インターネット５１を使用して半熟堆肥の回収希望日時を完熟堆肥製造会社５２に連絡する。一般家庭５０からの回収希望日時の連絡を受けた完熟堆肥製造会社５２は、交換する木材チップ１７を持って半熟堆肥１２の回収に出向く。
【００２１】
そして、一般家庭５０から回収された半熟堆肥１２は、木材チップ１７と混合され、完熟堆肥製造サイロ１５において完熟堆肥２０ができ上がる間(約３０日間)に、インターネット５１を使って完熟堆肥２０の購入希望者を募る。
【００２２】
完熟堆肥２０の購入希望者は、半熟堆肥１２を提供した者に優先権が与えられる。一方、購入希望者が生産予定量に達しなかった場合は、地元の園芸家、公園５４、事業者５５の提携農園などに無料で配られる。
【００２３】
本実施の形態で示した完熟堆肥製造方法の利用の最大のメリットを享受できるのは自治体である。すなわち、我が国におけるごみ行政においては、生ごみの比率が欧米に比べて大きいため、無公害に処理を行おうとすると、ごみ焼却施設が巨大化して巨額の設備投資が必要である。
【００２４】
そこで、ごみ発生源において生ごみの分別が行われば、回収時のごみカロリーが上昇し、現在取り組みが始まったサーマルリサイクルにおいても熱効率アップを確実に期待することができる。
【００２５】
また、生ごみを排除することができれば、ごみ焼却施設のコンパクト化を可能にできるので、ごみ焼却施設を分散化させることも可能となる。現状では、ごみ発電などのサーマルリサイクルにおいては、発電効率が悪いのと、ごみ回収のためのエネルギー消費が大きいため、エネルギー収支で捉えると全体効率は大変低い。
【００２６】
また、本実施の形態の完熟堆肥製造方法は、サーマルリサイクルにおいても効果が大きい。現状のごみ行政は、生ごみとの混合を前提として考えているため、缶、壜、プラスチック、ペットボトルなど、多種多様の選別を一般家庭５０で行わなくてはならないので分別作業が大変であった。
【００２７】
しかし、ごみの中から生ごみを排除すれば、ごみ全体を乾燥ごみとみなすことができ、ごみ処理施設における選別作業が容易となる。これにより、ごみ選別の自動化を行うことも可能であり、乾燥ごみのＲＤＦ（廃棄物固形化燃料）化も容易であり、発熱量が上昇するためにダイオキシン発生量を低減させることも可能である。
【００２８】
また、本実施の形態の完熟堆肥製造方法においては、一般家庭５０に配備する堆肥製造装置３０の製造も行うこととする。堆肥製造方式は種々であるため、木材チップ１７を使用した簡易な方式（半熟でよい）を広く普及させなくてはならないため、堆肥製造装置３０もファブレス化を行い、ＯＥＭ生産で低価格商品の量産を行う。
【００２９】
特に、本実施の形態の完熟堆肥製造方法は、林野行政が望む中山間地には木材チップ１７が廃棄物として存在する。大量の廃棄物になっている木材チップ１７を媒体として堆肥化を行えば理想のシステムを構築することができる。これにより、都市部において発生する半熟堆肥１２を山間地において完熟堆肥２０として製品化することにより、都市近郊部の園芸農家５３に供給し、出来上がった作物をごみ発生者に格安で安定的に供給する。
【００３０】
そして、上記園芸農家５３とごみ発生者、すなわち、一般家庭５０とをインターネット５１を介して結ぶことにより、新たなビジネスモデルを構築することが可能となる。
【００３１】
【発明の効果】
以上説明してきたように、本発明によれば、各家庭及び事業所にて完熟堆肥の半製品である半熟堆肥を生ごみから製造し、上記製造された完熟堆肥の半製品を完熟堆肥製造会社にて完熟堆肥に仕上げるようにしたので、良質な成熟堆肥を半熟堆肥から効率良く製造できるようにすることができ、作物の収獲量を多くすることができる。
【００３２】
また、本発明の他の特徴によれば、半熟堆肥を生ごみから製造する一般家庭と、上記半熟堆肥から完熟堆肥を生成する完熟堆肥製造会社と、上記生成された完熟堆肥を使用する園芸農家とをインターネットを介して接続し、上記インターネットを介して情報の授受を行いながら原料及び製品の流通を図るようにしたので、原料の調達及び製品の回収、販売を効率的に行うことができる。
【図面の簡単な説明】
【図１】  本実施の形態の実施の形態を示し、完熟堆肥製造方法の概略構成を示す図である。
【図２】  完熟堆肥製造サイロの構成を示す図である。
【図３】  一般家庭で用いられる堆肥製造装置の構成例を示す図である。
【図４】  インターネットを利用した完熟堆肥製造方法の一例を示す図である。
【符号の説明】
１１  回収自動車
１２  半熟堆肥
１３  搬送コンベア
１４  搬送コンベア
１５  完熟堆肥製造サイロ
１６  搬送自動車
１７  木材チップ
１８  搬送コンベア
１９  混合装置
２０  完熟堆肥
５０  一般家庭
５１  インターネット
５２  完熟堆肥製造会社
５３  園芸農家
５４  公園
【図１】
0004129810.tif 000002
【図２】
0004129810.tif 000003
【図３】
0004129810.tif 000004
【図４】
0004129810.tif 000005